(57)【要約】【課題】  回転体の小型化と回転駆動源のトルク減少により装置全体の簡素化を図ることができ、また、一対の払出通路を設けた場合に、２列の遊技球が同位置で均等に並んで静止することによって、払出通路に収容した遊技球の検出や球抜きを容易とした遊技球払出装置を提供する。【解決手段】  第一回転胴１１及び第二回転胴１２には、円柱状の外周部１０ｂに遊技球Ｂを部分的に収容可能な球面形の窪みである切欠状凹部１０ａが軸線Ｏ方向に沿って形成されている。切欠状凹部１０ａは、周方向に沿って等間隔で２ヶ所形成され、周方向の位相が第一回転胴１１と第二回転胴１２とで９０°異ならせてある。回転胴１１，１２の軸線Ｏは通路１，２の流下方向と直交し、切欠状凹部１０ａが各々の通路１，２内にそれぞれ突入配置されている。【選択図】  図３
2007307307.tif 000002
【特許請求の範囲】
【請求項１】
予め定められた個数の賞球又は貸球を払い出すための遊技球払出装置であって、
払い出される遊技球が一列状に並んで流下することのできる払出通路と、
柱状の外周部に遊技球を部分的に収容可能な切欠状凹部が軸線方向に沿って形成されるとともに、その軸線が前記払出通路の流下方向と交差する形で少なくとも前記切欠状凹部が部分的にその払出通路内に突入配置されて、前記払出通路を流下する遊技球を前記切欠状凹部で部分的に収容保持しつつ接触しながら前記軸線周りに回転する第一回転状態と、前記払出通路を流下しようとする遊技球と前記外周部で接触・保持しながら前記軸線周りに回転する第二回転状態とを含む回転体と、
その回転体を前記流下方向に対して順方向となる向きに連続的に又は断続的に駆動する回転駆動源とを備え、
前記回転体は、前記第一回転状態において前記切欠状凹部と前記払出通路の壁部との間でその遊技球を通過させて１個ずつ払い出すとともに、前記第二回転状態において前記外周部と前記払出通路の壁部との間でその遊技球を保持して通過阻止する一方、前記第一回転状態の回転角度範囲外には前記回転体の回転を停止して払い出しを終了する回転停止位置を含むことを特徴とする遊技球払出装置。
【請求項２】
予め定められた個数の賞球又は貸球を払い出すための遊技球払出装置であって、
払い出される遊技球が一列状に並んで流下することのできる一対の平行な払出通路と、
柱状の外周部に遊技球を部分的に収容可能な切欠状凹部が軸線方向に沿って形成されるとともに、その軸線が前記払出通路の流下方向と交差する形で少なくとも前記切欠状凹部が部分的に各々の払出通路内にそれぞれ突入配置されて、対応する前記払出通路を流下する遊技球を前記切欠状凹部で部分的に収容保持しつつ接触しながら前記軸線周りに回転する第一回転状態と、対応する前記払出通路を流下しようとする遊技球と前記外周部で接触・保持しながら前記軸線周りに回転する第二回転状態とを含む一対の回転体と、
その一対の回転体を前記流下方向に対して順方向となる向きに、かつ前記切欠状凹部の周方向の位相が異なる形態で連続的に又は断続的に同期駆動する単一の回転駆動源とを備え、
前記一対の回転体のうち、一方の回転体が前記第一回転状態にあって、前記切欠状凹部と前記払出通路の壁部との間でその遊技球を通過させて１個ずつ払い出すとき、他方の回転体が前記第二回転状態にあって、前記外周部と前記払出通路の壁部との間でその遊技球を保持して通過阻止することにより、交互払い出しを可能とする一方、
各々の回転体における前記第一回転状態の回転角度範囲外には、前記一対の回転体の回転を同時に停止して払い出しを終了する回転停止位置を含むことを特徴とする遊技球払出装置。
【請求項３】
前記一対の回転体は互いの軸線を共有する形態で前記払出通路に配置されるとともに、
前記一対の回転体にそれぞれ設定される前記第二回転状態の回転角度範囲を部分的に重合させ、その重合範囲には、前記一対の回転体がともに回転を停止して払い出しを終了する前記回転停止位置を含む請求項２に記載の遊技球払出装置。
【請求項４】
前記回転体には前記切欠状凹部が周方向に沿って所定間隔で複数形成されるとともに、
前記第一回転状態の回転角度範囲を規定する前記切欠状凹部の開口の弧の長さが、前記第二回転状態の回転角度範囲を規定する前記外周部の弧の長さよりも小に形成されている請求項１ないし３のいずれか１項に記載の遊技球払出装置。
【請求項５】
前記回転体の外周部は擬似円柱状に形成されるとともに、
その回転体の最大径が遊技球の球径よりも小に形成されている請求項１ないし４のいずれか１項に記載の遊技球払出装置。
【請求項６】
前記回転体が前記回転停止位置で停止したとき、前記外周部と前記払出通路の壁部との間で保持されて通過阻止された流下方向先頭の遊技球の先端縁は、前記回転体の軸線と同じ高さ位置又はそれよりも高位に位置する請求項１ないし５のいずれか１項に記載の遊技球払出装置。
【発明の詳細な説明】
【技術分野】
【０００１】
本発明は、遊技球払出装置、特にパチンコ球払出装置に関する。
【背景技術】
【０００２】
例えばパチンコ球払出装置のように、予め定められた個数の賞球又は貸球を払い出すための遊技球払出装置では、払い出されるパチンコ球が一列状に並んで流下する払出通路が２列平行に上下方向に沿って配設され、スプロケット形あるいは羽根車形の回転払出部材（回転体）が払出通路毎に配置されている。これらの回転払出部材では、その歯形が周方向の位相をずらして設けられ、単一のステッピングモータ（回転駆動源）により共通する回転軸の周りに回転して、１個ずつ交互にパチンコ球を払い出す（特許文献１参照）。
【０００３】
【特許文献１】特開２００１−１１２９９４号公報
【０００４】
このように、特許文献１等に示される従来からの歯形形状では、一方の回転払出部材は、歯元のポケット部分で上方払出通路から流下するパチンコ球を一旦受け止めた後、所定角度範囲（例えば９０°）回転して下方払出通路へパチンコ球を送り出す（払い出す）。また、他方の回転払出部材は、一方の払い出しが終了するまでの間上方払出通路から流下しようとするパチンコ球を歯先部分で受け止めて保持している。このように、パチンコ球を歯元部分と歯先部分とで受け止めるために、回転払出部材は大きくなる傾向があり、それにつれてステッピングモータは大きなトルクを発生する必要がある。
【０００５】
ところで、このような受け止め方式では上方からのパチンコ球を歯元部分や歯先部分で受け止めたとき、必然的に回転軸芯をずれてパチンコ球の荷重が掛かる（モーメントを生じる）。したがって、ステッピングモータはこれらのモーメント（モータ負荷）に打ち勝つトルクも要することになり、誤作動による払出ミスの発生を避けるためには大型大容量のものを選定する必要がある。
【０００６】
さらに、払出終了時（停止時）には、一対の回転払出部材は一方が歯元部分、他方が歯先部分でパチンコ球を受け止めた状態で停止するので、上方払出通路内のパチンコ球は２列で互いにずれたままで静止する。このように、２列のパチンコ球が不均等に並んで静止するので、空切り検知スイッチによる払出可能球数の検出（一般に、２列合わせて最低貸球個数２５個以上のパチンコ球が払出通路内に存在することを検出する）が困難で誤検出を起こすおそれがある。また、パチンコ球を歯元部分に受け止めた状態で停止しているので、出荷前検査終了時、新台入れ替え時、廃棄時等の球抜きが困難となる。
【発明の開示】
【発明が解決しようとする課題】
【０００７】
本発明の課題は、回転体の小型化と回転駆動源のトルク減少により装置全体の簡素化を図ることができ、また、一対の払出通路を設けた場合に、２列の遊技球が同位置で均等に並んで静止することによって、払出通路に収容した遊技球の検出や球抜きを容易とした遊技球払出装置を提供することにある。
【課題を解決するための手段及び発明の効果】
【０００８】
上記課題を解決するために、本発明の遊技球払出装置は、
予め定められた個数の賞球又は貸球を払い出すための遊技球払出装置であって、
払い出される遊技球が一列状に並んで流下することのできる払出通路と、
柱状の外周部に遊技球を部分的に収容可能な切欠状凹部が軸線方向に沿って形成されるとともに、その軸線が前記払出通路の流下方向と交差する形で少なくとも前記切欠状凹部が部分的にその払出通路内に突入配置されて、前記払出通路を流下する遊技球を前記切欠状凹部で部分的に収容保持しつつ接触しながら前記軸線周りに回転する第一回転状態と、前記払出通路を流下しようとする遊技球と前記外周部で接触・保持しながら前記軸線周りに回転する第二回転状態とを含む回転体と、
その回転体を前記流下方向に対して順方向となる向きに連続的に又は断続的に駆動する回転駆動源とを備え、
前記回転体は、前記第一回転状態において前記切欠状凹部と前記払出通路の壁部との間でその遊技球を通過させて１個ずつ払い出すとともに、前記第二回転状態において前記外周部と前記払出通路の壁部との間でその遊技球を保持して通過阻止する一方、前記第一回転状態の回転角度範囲外には前記回転体の回転を停止して払い出しを終了する回転停止位置を含むことを特徴とする。
【０００９】
このように、払出通路内に突入配置される回転体は、払出通路を流下する遊技球を切欠状凹部で部分的に収容保持しつつ接触しながら軸線周りに回転する状態（第一回転状態）と、払出通路を流下しようとする遊技球と外周部で接触・保持しながら軸線周りに回転する状態（第二回転状態）とを含む。つまり、回転体は、第一回転状態では切欠状凹部と払出通路の壁部との間で遊技球を通過させて１個ずつ払い出し（払出状態）、第二回転状態では外周部と払出通路の壁部との間で遊技球を保持して通過阻止する（阻止状態）。
【００１０】
これによって回転体は、従来のような遊技球の受止部材ではなく払出通路の開閉シャッタとして機能するので、小型軽量化を図る（例えば、遊技球よりも小さくする）ことができる。その結果、回転体が軽量化され、積み重ねられた遊技球の重量がモーメントとして作用しにくくなるので、回転駆動源（例えばステッピングモータ）の所要トルクが減少する。したがって、回転駆動源に大型大容量のものを選定する必要がなくなり、払出装置全体の簡素化を図ることができる。
【００１１】
なお、上記第一回転状態における回転体の切欠状凹部と遊技球との接触、及び上記第二回転状態における回転体の外周部と遊技球との接触は、転がり接触、滑り接触のいずれであってもよい。また、切欠状凹部は回転体の外周部の１箇所又は複数ヶ所（例えば２ヶ所）に形成することができる。
【００１２】
また、上記課題を解決するために、本発明の遊技球払出装置の具体的態様は、
予め定められた個数の賞球又は貸球を払い出すための遊技球払出装置であって、
払い出される遊技球が一列状に並んで流下することのできる一対の平行な払出通路と、
柱状の外周部に遊技球を部分的に収容可能な切欠状凹部が軸線方向に沿って形成されるとともに、その軸線が前記払出通路の流下方向と交差する形で少なくとも前記切欠状凹部が部分的に各々の払出通路内にそれぞれ突入配置されて、対応する前記払出通路を流下する遊技球を前記切欠状凹部で部分的に収容保持しつつ接触しながら前記軸線周りに回転する第一回転状態と、対応する前記払出通路を流下しようとする遊技球と前記外周部で接触・保持しながら前記軸線周りに回転する第二回転状態とを含む一対の回転体と、
その一対の回転体を前記流下方向に対して順方向となる向きに、かつ前記切欠状凹部の周方向の位相が異なる形態で連続的に又は断続的に同期駆動する単一の回転駆動源とを備え、
前記一対の回転体のうち、一方の回転体が前記第一回転状態にあって、前記切欠状凹部と前記払出通路の壁部との間でその遊技球を通過させて１個ずつ払い出すとき、他方の回転体が前記第二回転状態にあって、前記外周部と前記払出通路の壁部との間でその遊技球を保持して通過阻止することにより、交互払い出しを可能とする一方、
各々の回転体における前記第一回転状態の回転角度範囲外には、前記一対の回転体の回転を同時に停止して払い出しを終了する回転停止位置を含むことを特徴とする。
【００１３】
この場合にも、上記と同様に、回転体の小型軽量化を図り、回転駆動源の所要トルクの減少を図ることにより払出装置全体の簡素化を図ることができる。しかも、このような回転体を一対の払出通路にそれぞれ配置することによって、各回転体が第一回転状態（払出状態）の回転角度範囲外に回転停止位置（払出終了位置）を含むことにより、２列の遊技球は同位置で均等に並んで静止（停止）することができる。これによって、払出通路に収容した遊技球の検出（例えば空切り検知スイッチによる最低貸球個数の検出）や球抜きが容易となる。さらには、このような回転体は、上記したように払出通路の開閉シャッタとして機能すればよいので、従来の受止部材のような歯形形状を有しなくてよくなる。したがって、一対の回転体を簡単な形状とし、合成樹脂等による一体成形も可能になる。
【００１４】
その際、一対の回転体は互いの軸線を共有する形態で払出通路に配置されるとともに、一対の回転体にそれぞれ設定される第二回転状態の回転角度範囲を部分的に重合させ、その重合範囲には、一対の回転体がともに回転を停止して払い出しを終了する回転停止位置を含むことが望ましい。これによって、回転停止位置において２列の払出通路の遊技球の位置を揃える（同位置で均等に並んで静止させる）ことが容易に行なえる。
【００１５】
そして、回転体には切欠状凹部が周方向に沿って所定間隔で複数形成されるとともに、第一回転状態の回転角度範囲を規定する切欠状凹部の開口の弧の長さを、第二回転状態の回転角度範囲を規定する外周部の弧の長さよりも小に形成することができる。回転体に切欠状凹部を複数（例えば２ヶ所）形成することにより、回転体１回転につき複数（例えば２個）の遊技球を払い出すことができ、払出が円滑に速く実行できる。さらに、切欠状凹部の開口の弧の長さを外周部の弧の長さよりも小に形成することにより、上記回転停止位置を形成しやすくなるので、高速の払出と遊技球の同位置での停止とが安定して実行される。
【００１６】
なお、切欠状凹部の開口の弧の長さの合計を外周部の弧の長さの合計よりも小に形成することによっても、上記回転停止位置を形成しやすくなるので、高速の払出と遊技球の同位置での停止とが安定して実行される。
【００１７】
具体的には、回転体の外周部を擬似円柱状に形成するとともに、その回転体の最大径（すなわち外周部の外径）を遊技球の球径よりも小に形成することによって、払出装置をさらにコンパクトに構成することができる。
【００１８】
また、回転体が回転停止位置で停止したとき、外周部と払出通路の壁部との間で保持されて通過阻止された流下方向先頭の遊技球の先端縁は、回転体の軸線と同じ高さ位置又はそれよりも高位に位置することができる。このように、回転停止位置での先頭遊技球の食い込み量を小さく（浅く）することによって、球噛み・球詰まりの発生を減少させ、球抜きを容易とすることができる。
【発明を実施するための最良の形態】
【００１９】
（実施例）
以下、本発明の実施の形態を図面を参照しつつ説明する。図１は本発明に係る遊技球払出装置（以下、単に払出装置ともいう）を備えたパチンコ機の一例を示す背面図、図２はその側面図である。図１及び図２に示すように、パチンコ機１００（遊技機）の遊技盤１０１の裏側には、上端部に幅広状の補給球タンク１０２が配設され、その下方には一端側（例えば図１の左側）から他端側（同じく右側）へタンクレール１０３が連結されている。タンクレール１０３の他端側には、ほぼ垂直上下方向に長く延びる流下樋１０４の上端部が接続され、その下端部は遊技盤１０１直下の上皿１０６に連通連接されている。流下樋１０４は筒状（一般的には角筒状）に形成され、前後方向に並設されて一対（２列）の遊技球落下路を構成している。
【００２０】
流下樋１０４，１０４の上下中間位置には、払出制御基板１１０等により予め定められた個数の賞球又は貸球を払い出すための払出装置１０５が介装されている（詳しくは後述する）。また、払出装置１０５よりも上方において、前後の流下樋１０４，１０４に跨って空切り検知スイッチ１０４ａが設けられている。この空切り検知スイッチ１０４ａは、払出可能球数の有無（すなわち、２列合わせて最低貸球個数（一般に２５個）以上の遊技球が払出装置１０５の払出通路１，２及び流下樋１０４，１０４内に存在すること）を検出する。なお、符号１０７は上皿１０６が遊技球で一杯になったときに溢れ球通路１０８を通って溢流する下皿、１０９は溢れ球通路１０８まで一杯になったことを検出する満タンスイッチ、１１０は払出装置１０５の作動を制御するための払出制御基板を示す。
【００２１】
図３及び図４に払出装置の構造を示す。払出装置１０５は、前後方向に並設された一対の払出通路と、各々の払出通路１，２内にそれぞれ突入配置されて、単一の払出モータ１３（回転駆動源）で駆動される共通の回転軸１４（軸線Ｏ）の周りに回転する一対の回転胴１１，１２（回転体）と、各々の回転胴１１，１２の直下の払出通路１，２内にそれぞれ配置された一対のセンサ２１，２２（遊技球検出手段）とを備えている。
【００２２】
このように、一対の払出通路は、払い出される遊技球Ｂが各々一列状に並んで流下することができるように、前後方向に並設された２列の平行な第一通路１と第二通路２（以下、単に通路１，２ともいう）とを有している。
【００２３】
図４に示すように、樹脂一体成形された第一回転胴１１及び第二回転胴１２には、円柱状の外周部１０ｂに遊技球Ｂを部分的に収容可能な球面形の窪みである切欠状凹部１０ａが軸線Ｏ方向に沿って形成されている。この切欠状凹部１０ａは、周方向に沿って等間隔で複数（例えば２ヶ所）形成され、周方向の位相が第一回転胴１１と第二回転胴１２とで所定回転角度範囲（例えば９０°）異ならせてある。図３に戻り、回転胴１１，１２の軸線Ｏは通路１，２の流下方向と交差（例えば直交）し、切欠状凹部１０ａが各々の通路１，２内にそれぞれ突入配置されている。
【００２４】
払出モータ１３は、一対の回転胴１１，１２を遊技球Ｂの流下方向に対して順方向となる向きに連続的に又は断続的に同期駆動する。払出モータ１３には所定のステップ数（例えば４８ステップ）で１周するステッピングモータが用いられているので、回転胴１１，１２は払出モータ１３の１ステップ当たり７．５°ずつ回転する。また、第一センサ２１及び第二センサ２２には近接スイッチが用いられ、各々の通路１，２から払い出された遊技球Ｂ（賞球又は貸球）をそれぞれ検出する。
【００２５】
図４（ａ）に示すように、回転胴１１，１２の最大径（すなわち外周部１０ｂの外径）Ｄ１は遊技球Ｂの球径Ｄ２よりも小に形成されている。これによって、回転胴１１，１２の通路１，２からの突出量が小さくなり、払出装置１０５の小型化を図ることができる。
【００２６】
図４（ｂ）を参照して、回転胴１１，１２には、切欠状凹部１０ａと外周部１０ｂとが２ヶ所ずつ形成されている。したがって、回転胴１１，１２は、次の（１），（２）の状態をそれぞれ１回転の間に２回ずつ（半回転の間に１回の割合で）出現させる。
（１）通路１，２を流下する遊技球Ｂを切欠状凹部１０ａで部分的に収容保持しつつ接触しながら軸線Ｏ周りに回転する第一回転状態（払出状態）；
（２）通路１，２を流下しようとする遊技球Ｂと外周部１０ｂで接触・保持しながら軸線Ｏ周りに回転する第二回転状態（阻止状態）。
【００２７】
さらに、第一回転胴１１と第二回転胴１２とは、切欠状凹部１０ａの周方向の位相を９０°異ならせてあり、かつ上記第二回転状態の回転角度範囲（外周部１０ｂの区間）を部分的に重合させてある。そして、その重合範囲Ｘを次の（３）に設定する。
（３）第一回転胴１１と第二回転胴１２とがともに回転を停止して払い出しを終了する回転停止位置（初期位置）。
【００２８】
したがって、例えば第一回転胴１１が上記第一回転状態にあって、切欠状凹部１０ａと第一通路１の壁部１ａとの間で遊技球Ｂを通過させて１個ずつ払い出すとき（図５（ｅ）参照）、第二回転胴１２が上記第二回転状態にあって、外周部１０ｂと第二通路２の壁部２ａとの間で遊技球Ｂを保持して通過阻止する（図６（ｅ）参照）。また、第二回転胴１２が上記第一回転状態にあって、切欠状凹部１０ａと第二通路２の壁部２ａとの間で遊技球Ｂを通過させて１個ずつ払い出すとき（図６（ｃ）参照）、第一回転胴１１が上記第二回転状態にあって、外周部１０ｂと第一通路１の壁部１ａとの間で遊技球Ｂを保持して通過阻止する（図５（ｂ）参照）。このようにして、第一回転胴１１と第二回転胴１２とによる交互払い出しが可能となる。
【００２９】
このように、回転胴１１，１２は通路１，２の開閉シャッタとして機能することになり、上記したように外径Ｄ１を遊技球Ｂの球径Ｄ２よりも小さくすることができる（図４（ａ）参照）。その結果、回転胴１１，１２が軽量化され、積み重ねられた遊技球Ｂの重量がモーメントとして作用しにくくなるので、払出モータ１３の所要トルクが減少する。したがって、払出モータ１３に小型小容量のものを選定して、払出装置１０５全体の簡素化を図ることができる。
【００３０】
また、回転胴１１，１２において、第一回転状態（払出状態）の回転角度範囲外である初期位置には、両回転胴１１，１２の回転を同時に停止して払い出しを終了する回転停止位置（払出終了位置）が設定される（図３，図５（ａ），図６（ａ）参照）。その際、上記した通り、上記第二回転状態（阻止状態）の回転角度範囲（外周部１０ｂの区間）の部分的な重合範囲Ｘに、回転停止位置（払出終了位置）が設定されている（図４（ｂ）参照）。
【００３１】
両回転胴１１，１２が第一回転状態（払出状態）の回転角度範囲外に回転停止位置（払出終了位置）を含み、上記重合範囲Ｘに回転停止位置（払出終了位置）が設定されていることにより、２列の遊技球は同位置で均等に並んで容易に静止（停止）することができる（図３参照）。これによって、払出通路に収容した遊技球の検出（例えば空切り検知スイッチ１０４ａ（図２参照）による最低貸球個数の検出）や球抜きが容易となる。
【００３２】
図４（ａ）において、切欠状凹部１０ａの開口の弧の長さＡ１が、外周部１０ｂの弧の長さＡ２よりも小に形成されている。その結果、切欠状凹部１０ａの開口の弧の長さＡ１の合計も、外周部１０ｂの弧の長さＡ２の合計よりも小に形成されている。弧の長さＡ１は第一回転状態（払出状態）の回転角度範囲を規定し、弧の長さＡ２は第二回転状態（阻止状態）の回転角度範囲を規定するので、回転停止位置を形成しやすくなる。
【００３３】
図４（ａ）のように、第二回転胴１２（第一回転胴１１）が回転停止位置で停止しているとき、外周部１０ｂと第二通路２の壁部２ａとの間で保持されて通過阻止された流下方向先頭の遊技球Ｂの先端縁Ｅは、第二回転胴１２（第一回転胴１１）の軸線Ｏと同じ高さに位置している。このように、回転停止位置での先頭遊技球Ｂの食い込み量が小さい（浅い）ので、球噛み・球詰まりの発生が減少し、球抜きが容易になる。
【００３４】
次に、図５、図６を参照して払出装置１０５の作動を説明する。図５は第一回転胴１１の作動を示し、初期位置は回転停止位置（払出終了位置）に設定されている（図５（ａ））。払出制御基板１１０からの払出指令によって払出モータ１３が回転を開始し、払出モータ１３が１８ステップ分（回転角度範囲１３５°）回転するまで、第一回転胴１１は第二回転状態（阻止状態）にある（図５（ｂ）（ｃ）（ｄ））。その後徐々に第一回転胴１１は第一回転状態（払出状態）に移行し、払出モータ１３が２３ステップ分（回転角度範囲１７２．５°）回転すると、通路１から先頭遊技球Ｂが払い出される（図５（ｅ））。払出モータ１３が２４ステップ分（回転角度範囲１８０°）回転すると、第一回転胴１１は半回転して初期位置とは点対称な位置に至る（図５（ｆ））。
【００３５】
切欠状凹部１０ａ（外周部１０ｂ）は１８０°のピッチ（間隔）で形成されているので、第一回転胴１１は再び初期位置からと同様の動作を繰り返し、払出モータ１３が４７ステップ分（回転角度範囲３５２．５°）回転すると、通路１から２番目の遊技球Ｂが払い出される（図５（ｅ）参照）。払出モータ１３が４８ステップ分（回転角度範囲３６０°）回転すると、第一回転胴１１は一回転して初期位置に戻る（図５（ｆ）（ａ））。
【００３６】
図６は第二回転胴１２の作動を示し、初期位置は回転停止位置（払出終了位置）に設定されている（図６（ａ））。払出制御基板１１０からの払出指令によって払出モータ１３が回転を開始し、払出モータ１３が６ステップ分（回転角度範囲４５°）回転するまで、第二回転胴１２は第二回転状態（阻止状態）にある（図６（ｂ））。その後徐々に第二回転胴１２は第一回転状態（払出状態）に移行し、払出モータ１３が１１ステップ分（回転角度範囲８２．５°）回転すると、通路２から先頭遊技球Ｂが払い出される（図６（ｃ））。払出モータ１３が２４ステップ分（回転角度範囲１８０°）回転すると、第二回転胴１２は半回転して初期位置とは点対称な位置に至る（図５（ｄ）（ｅ）（ｆ））。
【００３７】
切欠状凹部１０ａ（外周部１０ｂ）は１８０°のピッチ（間隔）で形成されているので、第二回転胴１２は再び初期位置からと同様の動作を繰り返し、払出モータ１３が３５ステップ分（回転角度範囲２６２．５°）回転すると、通路２から２番目の遊技球Ｂが払い出される（図６（ｃ）参照）。払出モータ１３が４８ステップ分（回転角度範囲３６０°）回転すると、第二回転胴１２は一回転して初期位置に戻る（図６（ｆ）（ａ））。
【００３８】
このように、回転胴１１，１２に切欠状凹部１０ａを各々２ヶ所ずつ形成することにより、払出モータ１３が１回転すると合計４個の遊技球Ｂを払い出すことができ、払出が円滑に速く実行できる。しかも、上記した通り回転胴１１，１２は通路１，２の開閉シャッタとして機能し、払出モータ１３の負荷を抑制することができるので、払出モータ１３を高速稼動させて払出能率を向上させることも可能になる。
【００３９】
以上の実施例では、回転胴１１，１２の形状について、円柱状についてのみ述べたが、楕円柱状や角柱状等に形成してもよい。このように、柱状に形成することによって構成を簡単にすることができ、樹脂一体成形が可能となる。同様に、通路１，２の断面形状について、角筒状についてのみ述べたが、円筒状や楕円筒状等に形成してもよい。
【図面の簡単な説明】
【００４０】
【図１】本発明に係る払出装置を備えたパチンコ機の一例を示す背面図。
【図２】図１の側面図。
【図３】払出装置の構造を示す説明図。
【図４】回転胴の形状を示す説明図。
【図５】第一回転胴の作動説明図。
【図６】第二回転胴の作動説明図。
【符号の説明】
【００４１】
１          第一通路（払出通路）
１ａ        壁部
２          第二通路（払出通路）
２ａ        壁部
１０ａ      切欠状凹部
１０ｂ      外周部
１１        第一回転胴（回転体）
１２        第二回転胴（回転体）
１３        払出モータ（回転駆動源）
１４        回転軸
２１        第一センサ（遊技球検出手段）
２２        第二センサ（遊技球検出手段）
１００      パチンコ機（遊技機）
１０５      払出装置（遊技球払出装置）
Ｏ          軸線
【図１】
2007307307.tif 000003
【図２】
2007307307.tif 000004
【図３】
2007307307.tif 000005
【図４】
2007307307.tif 000006
【図５】
2007307307.tif 000007
【図６】
2007307307.tif 000008